(57)【要約】【課題】石膏ボードなど比較的強度の低い壁材が使用されている壁面においても、壁材を破壊してしまうことなしに確実に手すりを取付けることができる帯板付手すりの取付方法を提供することを目的とする。【解決手段】取付基板としての帯板２を介し取付けられる手すり１において、帯板２は四隅部に固定用孔２１が設けられ、脆い壁材Ｗの補強を為す板状体であり、壁材Ｗ内に挿通され、頭部３１の中央に設けられた固定ねじ挿通孔３５に固定ねじ４を挿通することにより固定片３ｂが壁材Ｗの裏側で回動し、固定片３ｂの長手面が壁材Ｗの裏面に当接して固定される固定用アンカー３と、固定ねじ挿通孔３５に帯板２の固定用孔２１を介して螺合される固定ねじ４とにより帯板２を挟持して固定することにより、設置場所を選ばず、確実に取付けることができる帯板付手すりを提供する。【選択図】        図１
2004162320.tif 000002
【特許請求の範囲】
【請求項１】
取付基板としての帯板を介して取付けられる手すりにおいて、該帯板は四隅部に固定用孔が設けられる板状体であり、
壁材内に挿通され、頭部の中央に設けられた固定ねじ挿通孔に固定ねじを挿通することにより固定片が壁材の裏側で回動し、該固定片の長手面が壁材の裏面に当接して固定される固定用アンカーと、
前記固定ねじ挿通孔に前記帯板の前記固定用孔を介して螺合される前記固定ねじとにより、
前記帯板を挟持して固定することを特徴とする、帯板付手すり。
【発明の詳細な説明】
【０００１】
【発明が属する技術分野】
本発明は、石膏ボード等の比較的脆い材質の壁面に対して容易かつ確実に取付けることを可能とした帯板付手すりに関するものである。
【０００２】
【従来の技術】
近年の高齢化により、病院等の施設だけでなく、家庭内に立ち座りや歩行の補助のための手すり１を設置することは一般的なものとなっている。
【０００３】
一般家屋における壁材としては、石膏ボードなどの板材が使用されることが多い。このような板材は、耐火性等の特性により広く使用されるが、比較的脆いという問題がある。壁材に直接手すりを取付けた場合、壁材への固定は一般的なねじやアンカーによるものとなり、力の掛かる面積が小さいので手すりを使用する際に壁材にかかる荷重が集中して破壊に至ることが多く、手すりの取付け位置を間柱等の強度が確保される位置に合わせるか、壁材裏側に補強材を設けるなどして取付けざるを得ないという現状があった。
【０００４】
そのような現状に対する従来の技術としては、手すりを取付けた基板を、基板の周縁に設けた多数個の締結孔を介して、プラスチックアンカーと、該プラスチックアンカーに螺入されるビスによって壁面に締結・固定するもの（例えば特許文献１参照）が提供されている。
【０００５】
【特許文献１】特許第２８９１４５２号公報
【０００６】
【発明が解決しようとする課題】
特許文献１における手すりの取付構造では、プラスチックアンカーにより基板を締結するが、壁裏面で潰開して抜け止めされるものであるから、個々の固定力が弱く基板周縁に多数個用いる必要があり、またプラスチックアンカーは基板内を貫通して設けられるため、基板にはビス孔よりも一回り大きい締結孔が必要となる。
【０００７】
従って、基板は周縁に大きな締結孔を設けた広い面積を有するものとなり、外観が悪く、取付け壁面の広い場所に取付けが限定され、またコスト高となるという問題がある。
【０００８】
【課題を解決するための手段】
本発明では、これらの課題を解決するための手段として、取付基板としての帯板２を介して取付けられる手すり１において、帯板２は四隅部に固定用孔２１が設けられ、脆い壁材Ｗの補強を為す板状体であり、壁材Ｗ内に挿通され、頭部３１の中央に設けられた固定ねじ挿通孔３５に固定ねじ４を挿通することにより固定片３ｂが壁材Ｗの裏側で回動し、固定片３ｂの長手面が壁材Ｗの裏面に当接して固定される固定用アンカー３と、固定ねじ挿通孔３５に帯板２の固定用孔２１を介して螺合される固定ねじ４と、により帯板２を挟持して固定することによって、設置場所を選ばず、確実に取付けることができることを特徴とする、帯板付手すりを提供する。
【０００９】
【発明の実施の形態】
本発明の実施の形態については、図１乃至図６に示す通りである。図１は、本発明における帯板付手すりを壁材Ｗに設置した状態を示す斜視図である。
【００１０】
図２に示すように、本発明における帯板付手すりの取付位置を決めて、帯板２の四隅部に形成された固定用孔２１に対応する位置に固定アンカー３を仮固定する。
【００１１】
ここで、本実施形態において主に使用を想定する固定アンカー３について説明する。図３は、固定アンカー３及び固定ねじ４の中央縦断面図であり、固定ねじ４の締付けによる固定アンカー３の動作を示している。固定アンカー３は、略ねじ型に形成される金属製のアンカーボルトであり、本体部３ａ及び固定片３ｂから構成される。本体部３ａは、頭部３１と、頭部３１に連接される筒部３２、頭部３１と筒部３２の境界付近に形成される回り止め片３３、とからなる。突設される回り止め片３３が壁材Ｗに食込むことにより、締結の際、固定アンカー３が回転（空転）してしまう事が防止される。頭部３１にはドライバー等の工具（図示せず）により回転させるための十字穴３４と、十字穴３４の中央部には固定ねじ挿通孔３５、及び位置合わせ用矢印３６が形成される。位置合わせ用矢印３６の方向に固定片３ｂが回転するように構成されるので、壁材Ｗへの取付け時には位置合わせ用矢印３６により方向を合わせることにより、強度、スペースを考慮した取付けを行うことができる。一方、固定片３ｂは、筒部３２に回転可能に内蔵され、先端にはドリル部３７が形成されて、自身を回転させることにより穿孔することが可能となっている。また、固定片３ｂの略中央部で、固定片３ｂが回転した際に固定ねじ挿通孔３５の中心すなわち軸線に相当する位置には、固定ねじ螺入孔３８が形成される。
【００１２】
図３（ａ）に図示する通り、固定ねじ挿通孔３５より固定ねじ４を螺入していくと、固定ねじ４の先端が固定片３ｂの内壁に当接する。内壁は傾斜しており、固定ねじ４の締結に従って固定片３ｂが固定ねじ４の先端に押され、回転する。固定片３ｂが回転すると、図３（ｂ）に示す通り、固定片３ｂには固定ねじ螺入孔３８が形成されているため、固定ねじ螺入孔３８に固定ねじ４が螺入され、固定ねじ４が螺入されるに従い固定片３ｂは壁材Ｗ裏面に近づいて行き、最終的には当接する。
【００１３】
固定アンカー３を壁材Ｗに仮固定した後、帯板２を壁材Ｗに固定する。図４に示すように、壁材Ｗに仮固定された固定アンカー３の頭部３１に設けられた十字穴３４に形成された固定ねじ挿通孔３５と、帯板２の固定用孔２１の位置を合わせて、固定ねじ４を帯板２を介して螺入する。固定ねじ４には、タッピングビスが用いられる。
【００１４】
図５に示すように固定ねじ４をしっかりと締結することにより、帯板２は固定ねじ４頭部及び固定アンカー３によって確実に挟持・固定される。
【００１５】
図６に示す通り、固定された帯板２に対し、手すり１を取付ける。ブラケット部１１に手すり固定用ねじ１２で固定することにより取付けることができる。更に、ブラケット部１１のねじ固定部を隠蔽すべくカバー材１３を取付ける。この時、手すり固定用ねじ１２は壁材Ｗを貫通することもあるが、本発明においては壁材Ｗに対する固定用ねじ１２の螺合に頼ることなく手すり１を取付ける構成のため、何ら問題はない。
【００１６】
また、固定用孔２１にキャップ（図示せず）を嵌合させて、見栄えを良くすることができる。キャップの材質については、樹脂製やゴム製が好ましいが、必要であればどのような材質のものでも問題はない。
【００１７】
【実施例】
ここまでの説明では略Ｉ型の手すり１を図示しているが、図７に示す通り略Ｌ型の手すり１についても同様に取付けることが可能である。帯板２を、垂直片２２及び水平片２３の２つとして互いを接合してＬ字状に形成すれば良く、その他の取付け方法については全く同様である。
【００１８】
垂直片２２及び水平片２３を接合する方法としては、図８に示すようにダボ２４及びダボ穴２５による接合や、接着など、互いの部材がしっかりと接合される方法であれば、どのような手段でも良い。
【００１９】
帯板２の材質としては、外観等を考えると木製が適しているが、手すり１の使用場所に応じて、合成樹脂製、金属製など、様々な材質が使用可能である。
【００２０】
【発明の効果】
従って本発明においては、帯板２を壁材Ｗに固定することにより、手すり１を使用する際の荷重の集中を避けることを可能とし、実際に必要とされる位置に強固かつ容易に手すり１を設置することができる。
【図面の簡単な説明】
【図１】帯板付手すりの全体を示す斜視図
【図２】壁材及び固定アンカーを示す斜視図
【図３】固定アンカー及び固定ねじの中央縦断面図
【図４】固定アンカーにより壁材に帯板を固定する様子を示す断面図
【図５】帯板が壁材に固定された状態を示す断面図
【図６】壁材に固定された帯板上に手すりを取付ける様子を示す斜視図
【図７】他の実施例の帯板付手すりの全体を示す斜視図
【図８】他の実施例における垂直片及び水平片の接合方法を示す図
【符号の説明】
１        手すり
１１      ブラケット部
１２      手すり固定用ねじ
１３      カバー材
２        帯板
２１      固定用孔
２２      垂直片
２３      水平片
２４      ダボ
２５      ダボ穴
３        固定アンカー
３ａ      本体部
３ｂ      固定片
３１      頭部
３２      筒部
３３      回り止め片
３４      十字穴
３５      固定ねじ挿通孔
３６      位置合わせ用矢印
３７      ドリル部
３８      固定ねじ螺入孔
４        固定ねじ
Ｗ        壁材
【図１】
2004162320.tif 000003
【図２】
2004162320.tif 000004
【図３】
2004162320.tif 000005
【図４】
2004162320.tif 000006
【図５】
2004162320.tif 000007
【図６】
2004162320.tif 000008
【図７】
2004162320.tif 000009
【図８】
2004162320.tif 000010